(57)【特許請求の範囲】
【請求項１】
赤、緑、青の各色の画素電極からなる画素がマトリスク状に配列されてなる液晶パネルと、
補正可能なガンマ値の範囲内に、予め任意の複数のガンマ値に対応する階調データ変換ポイント値を設定しておき、入力画質データのガンマ値と複数の前記階調データ変換ポイントの前記ガンマ値との比較に基づいて、所望の階調データ変換ポイント値を出力すると共に、前記入力階調データに対して、前記階調データ変換ポイントのガンマ値と前記入力画質データのガンマ値とに基づくデータ処理を行って、処理後の階調データを出力する画像処理手段と、
入力される前記階調データ変換ポイント値に基づいて、前記液晶パネルの赤、緑、青の各色のＶ−Ｔ特性に対応するそれぞれの基準階調電圧を発生する基準階調電圧発生手段と、
前記処理後の階調データと前記基準階調電圧とに基づいて、信号電圧を発生して、走査周期ごとに前記各色の画素電極に対応する各列の信号線に供給する信号線駆動手段とを備えてなることを特徴とする液晶表示装置。
【請求項２】
前記画像処理手段は、前記入力画質データと複数の前記階調データ変換ポイントの前記ガンマ値とを比較して、前記入力画質データがいずれかの前記階調データ変換ポイントの前記ガンマ値と一致したときは、前記処理後の階調データとして入力階調データと同じ階調データを出力するとともに、一致した前記階調データ変換ポイント値を出力する一方、前記入力画質データが複数の前記階調データ変換ポイントのガンマ値のいずれとも一致しないときは、前記入力画質データに最も近いガンマ値の階調データ変換ポイントを選択して、前記入力階調データに対して、選択した前記階調データ変換ポイントのガンマ値と前記入力画質データのガンマ値とに基づくデータ処理を施して得られた、前記処理後の階調データを出力するとともに、選択した前記階調データ変換ポイント値を出力することを特徴とする請求項１記載の液晶表示装置。
【請求項３】
赤、緑、青の各色の画素電極からなる画素がマトリスク状に配列されてなる液晶パネルを備える液晶表示装置の駆動方法であって、
補正可能なガンマ値の範囲内に、予め任意の複数のガンマ値に対応する階調データ変換ポイント値を設定しておき、入力画質データのガンマ値と複数の前記階調データ変換ポイントの前記ガンマ値との比較に基づいて、所望の階調データ変換ポイント値を出力すると共に、前記入力階調データに対して、前記階調データ変換ポイントのガンマ値と前記入力画質データのガンマ値とに基づくデータ処理を行って、処理後の階調データを出力する画像処理と、
入力される前記階調データ変換ポイント値に基づいて、前記液晶パネルの赤、緑、青の各色のＶ−Ｔ特性に対応するそれぞれの基準階調電圧を発生する基準階調電圧発生処理と、
前記処理後の階調データと前記基準階調電圧とに基づいて、信号電圧を発生して、走査周期ごとに前記各色の画素電極に対応する各列の信号線に供給する信号線駆動処理とを有してなることを特徴とする液晶表示装置の駆動方法。
【請求項４】
前記画像処理では、前記入力画質データと複数の前記階調データ変換ポイントの前記ガンマ値とを比較して、前記入力画質データがいずれかの前記階調データ変換ポイントの前記ガンマ値と一致したときは、前記処理後の階調データとして入力階調データと同じ階調データを出力するとともに、一致した前記階調データ変換ポイント値を出力する一方、前記入力画質データが複数の前記階調データ変換ポイントのガンマ値のいずれとも一致しないときは、前記入力画質データに最も近いガンマ値の階調データ変換ポイントを選択して、前記入力階調データに対して、選択した前記階調データ変換ポイントのガンマ値と前記入力画質データのガンマ値とに基づくデータ処理を施して得られた、前記処理後の階調データを出力するとともに、選択した前記階調データ変換ポイント値を出力することを特徴とする請求項３記載の液晶表示装置の駆動方法。
【発明の詳細な説明】
【０００１】
【発明の属する技術分野】
この発明は、画像表示装置に関し、特に、液晶パネルを用い、基準階調電圧と階調データとによって液晶パネルに対する画像信号を発生するようにした液晶表示装置及びその駆動方法に関する。
【０００２】
【従来の技術】
液晶表示装置においては、液晶パネルを表示器として使用して、画像表示を行う。液晶パネルは、表示面上にマトリスク状に配置された画素に対応して透明電極からなる画素電極を設けた第１のガラス基板と、透明電極からなる共通電極を設けた第２のガラス基板とを対向させて、中間に結晶性の液体であって電界によって光学的異方性を生じる液晶物質を封入するとともに、両ガラス基板にそれぞれ偏光面が互いに直交する偏光板を設けた構造を有している。
そして、画素電極を画面の行方向と列方向とから駆動することによって、交点における画素電極上の液晶物質の光学的異方性の程度が変って、光の透過率が変化することを利用して、背面に設けられたバックライトによる透過光の輝度変化によって、画素ごとに明暗の表示を行うことができるようになっている。
さらに、各画素の画素電極を、Ｒ（赤），Ｇ（緑），Ｂ（青）の３原色ごとに配置するとともに、Ｒ，Ｇ，Ｂの各画素電極ごとに、第２のガラス基板にそれぞれＲ，Ｇ，Ｂ色のカラーフィルタを設けて、色ごとに異なる電気入力を与えるように、行方向と列方向とから駆動することによって、カラー表示を行うことができる。
【０００３】
この場合、パソコン等の画像描画装置から出力される画像信号は、画像の明るさの段階を対数軸上で等間隔に表示する階調データからなっており、例えば６４階調を６ビットのディジタル信号で表されている。液晶表示装置では、この階調データに応じて変化する電圧を発生して液晶パネルに印加することによって画像表示を行うが、この際の印加電圧の変化と、輝度の変化との関係を示すガンマ（γ）特性値は、通常、２．２程度に選定されるので、液晶表示装置では、階調データからこのγ特性に応じた印加電圧が発生するような処理（ガンマ補正）を行えるように構成されていることが必要になる。なお、以下に説明するノーマリ・ホワイト型の液晶パネルでは、印加電圧を加えない状態においてその透過率が最も高く、印加電圧が大きいほど透過率が小さくなるので、階調データが増加するに従って印加電圧が小さくなるように設定される。
【０００４】
以下、従来の液晶表示装置の構成，動作について説明する。図１０は、従来の液晶表示装置の第１の構成例を示す図、図１１は、本従来例における基準階調電圧発生回路と信号線駆動回路の構成例を示す図、図１２は、液晶表示装置に対する階調データ入力を示す図、図１３は、液晶パネルのガンマ特性の例を示す図である。
【０００５】
第１の従来例の液晶表示装置１１は、図１０に示すように、液晶パネル１２に対して、表示制御回路１３と、基準階調電圧発生回路１４と、走査線駆動回路１５と、信号線駆動回路１６とを備えた概略構成を有している。
液晶パネル１２は、前述した構造を有し、表示面に横（水平）方向に複数行の走査線１２１を形成する配線を設けるとともに、縦（垂直）方向に複数列の信号線１２２を形成する配線を設け、さらに各行の走査線と各列の信号線との交点ごとに、画素電極１２３を配置し、それぞれの画素電極と対応する信号線との間に薄膜トランジスタ（Thin Film Transistor：ＴＦＴ）１２４を設け、各ＴＦＴのゲートを対応する走査線に接続した構成を有している。
この場合、各画素電極は、図示のように、水平方向にＲ，Ｇ，Ｂの各色が順次配列されて走査線に接続されることによってカラーの１画素を構成し、このような画素が水平方向に所定数、走査線に沿って配列されているとともに、垂直方向には、各信号線ごとに同色の画素電極が所定数接続されて、１画面を構成するようになっている。
【０００６】
表示制御回路１３は、画像描画装置１００からの、液晶パネル１２の画素電極配列に対応して、Ｒ，Ｇ，Ｂの各色の階調データを繰り返し配列した階調データ入力を、同期データに従って、走査周期ごとに信号線駆動回路１６に出力するとともに、同期データに応じて、走査線駆動回路１５に対して走査側制御信号を出力し、信号線駆動回路１６に対して信号側制御信号を出力する。
基準階調電圧発生回路１４は、信号線駆動回路１６において、階調データに対応する電圧の信号を各信号線に対して出力する際に必要となる、基準階調電圧を発生する。走査線駆動回路１５は、走査側制御信号に応じて１フィールド期間ごとに、各走査線に対して走査信号を出力する。信号線駆動回路１６は、信号側制御信号に応じて１走査期間ごとに、表示制御回路１３からの並べ替えられた階調データと、基準階調電圧発生回路１４からの基準階調電圧とに応じて、液晶パネル１２の電圧−透過率（Ｖ−Ｔ）特性に応じてガンマ（γ）補正を行われた信号を生成して、各信号線ごとに出力する。
【０００７】
また、基準階調電圧発生回路１４と信号線駆動回路１６とは、図１１に示すような構成を有している。図１１では、液晶パネル１２の水平方向のカラーの６４０画素に対応する１９２０個の画素電極に対して、階調データに対応する電圧を出力する場合を例示している。
基準階調電圧発生回路１４では、基準電圧ＶREF を抵抗Ｒ１，Ｒ２，Ｒ３，…，Ｒ９，Ｒ１０，Ｒ１１からなる分圧回路で分割して得た電圧を、ボルテージ・フォロアＢ１，Ｂ２，…，Ｂ９，Ｂ１０を介して、基準階調電圧Ｖ０，Ｖ１，…，Ｖ８，Ｖ９として信号線駆動回路１６に出力する。
信号線駆動回路１６では、マルチプレクサ（ＭＰＸ）１６１において、液晶パネルを交流駆動するための極性反転パルスＰＯＬに基づいて、基準階調電圧Ｖ０〜Ｖ９を、Ｖ０〜Ｖ４の組とＶ５〜Ｖ９の組とに分けて、ＤＡＣ１６２に出力する。
【０００８】
また、表示制御回路１３から供給される、例えば６ビットの、Ｒ階調データＤR ，Ｇ階調データＤG ，Ｂ階調データＤB は、水平スタートパルスＨＳＰ及びクロック信号ＨＣＫにより制御されるシフトレジスタ部１６３の、各段の出力によって制御されるデータレジスタ部１６４に並列に保持される。データレジスタ部１６４に並列に保持された信号は、ラッチ信号ＳＴＢによってラッチ部１６５に階調データが一括して転送されてラッチされる。さらにラッチ部１６５から出力される階調データは、レベルシフト部１６６を介してレベルシフトされてＤＡＣ１６２へ転送される。
ＤＡＣ１６２へ転送された階調データは、ＭＰＸ１６１から供給される、基準階調電圧Ｖ０〜Ｖ４の組とＶ５〜Ｖ９の組とに基づいてガンマ補正されるとともに、ＤＡ変換された信号電圧を発生して、ボルテージ・フォロアＦ１，Ｆ２，…，Ｆ１９１９，Ｆ１９２０を経て、対応する各信号線に出力される。
【０００９】
以下、図１０乃至図１２を参照して、第１の従来例の液晶表示装置の動作を説明する。
図１２は、液晶表示装置１１に対する、パソコン等からなる画像描画装置１００からの階調データ入力を示したものであって、液晶パネル１２が水平方向にカラーの６４０画素を有する場合を例示し、１走査周期ごとに括弧で括って示す各組のＲ，Ｇ，Ｂの階調データを６４０回繰り返す信号を、液晶パネルの垂直方向の４８０本の走査線位置に対応して、４８０回繰り返して入力することが示されている。この際、各色の階調データは、表示しようとする画像の階調数に対応して、例えば６４階調の場合、６ビットのディジタル化された画像信号からなっている。また、画像描画装置１００は、同期データとして、各フィールドの表示期間に対応して垂直同期信号を出力し、各行の走査期間に対応して水平同期信号を出力する。
【００１０】
液晶表示装置１１において、表示制御回路１３は、画像描画装置１００からの階調データ入力を、同期データに応じて、走査周期ごとに、１走査線分づつ信号線駆動回路１６に出力するとともに、同期データに応じて、走査線駆動回路１５に対して走査側制御信号を出力し、信号線駆動回路１６に対して信号側制御信号を出力する。
【００１１】
これによって、走査線駆動回路１５では、走査側制御信号に応じて垂直同期信号ごとに、１フィールドの画面を形成する走査信号を、各走査線に対して順次出力するので、各走査線に接続されたＴＦＴ１２４がオンになって、その走査線に接続された各画素電極に、それぞれの信号線から信号電圧が供給される。
また、信号線駆動回路１６では、Ｒ，Ｇ，Ｂ各色の階調データに対して、基準階調電圧発生回路１４からの、基準階調電圧を用いて、液晶パネル１２におけるＶ−Ｔ特性が所定のガンマ値になるようにガンマ補正を行って、この補正されたＶ−Ｔ特性に対応する電圧を各信号線に出力する。
【００１２】
このように、図１０に示された液晶表示装置では、ガンマ補正を行っている基準階調電圧は、Ｒ，Ｇ，Ｂ各色とも同一値であり、液晶パネルにおけるＲ，Ｇ，Ｂの各色のＶ−Ｔ特性が同一のものとして、信号電圧を生成している。しかしながら、実際の液晶パネルでは、バックライトの輝度やカラーフィルタの透過率、及び液晶の各色の特性の違い等に基づいて、Ｒ，Ｇ，Ｂの各色によってＶ−Ｔ特性が異なっており、そのため、表示される画像のガンマ特性が、Ｒ，Ｇ，Ｂの色ごとに変化するので、色調の変化を生じて画質が低下する。
図１３は、このような表示色によるガンマ特性の変化を示したものであって、６４階調表示の場合を示し、同一階調値に対して、透過率がＧ，Ｂ，Ｒの順に小さくなる（ガンマ値が大きくなる）ことが示されている。
【００１３】
これに対して、従来の液晶表示装置では、画像描画装置側で予めデータ処理を行って、このようなガンマ特性の相違を補正した階調データを出力する方法や、液晶表示装置の入力側に、Ｒ，Ｇ，Ｂの各色ごとに入力データのガンマ補正を行う回路を設ける方法等が用いられている。
【００１４】
次に、第２の従来例として、入力側で階調データのガンマ補正を行うようにした液晶表示装置について説明する。図１４は、従来の液晶表示装置の第２の構成例を示す図、図１５は、本従来例の液晶表示装置におけるガンマ補正に基づく階調数の減少を説明する図である。
第２の従来例の液晶表示装置１１Ａは、図１４に示すように、液晶パネル１２に対して、表示制御回路１３と、基準階調電圧発生回路１４と、走査線駆動回路１５と、信号線駆動回路１６と、画像処理回路１７とを備えた概略構成を有している。これらのうち、液晶パネル１２，表示制御回路１３，基準階調電圧発生回路１４，走査線駆動回路１５，信号線駆動回路１６の構成，機能は図１０に示された第１の従来例と同様である。
画像処理回路１７は、図示されないＲ信号用ルックアップテーブル（ＬＵＴ）と、Ｇ信号用ルックアップテーブル（ＬＵＴ）と、Ｂ信号用ルックアップテーブル（ＬＵＴ）とを備えたチップからなり、Ｒ，Ｇ，Ｂのそれぞれの入力階調データに対して、各色のルックアップテーブルを用いて階調データを読み替えることによって、Ｒ，Ｇ，Ｂの各色に対するそれぞれのガンマ補正の処理を行って、表示制御回路１３に対してガンマ補正後の階調データを出力する。
【００１５】
以下、図１４，図１５を参照して、第２の従来例の液晶表示装置１１Ａの動作を説明する。
パソコン等からなる画像描画装置１００の出力する階調データは、図１０に示された従来例の場合と同様に、Ｒ，Ｇ，Ｂの各色ごとの、例えば６４階調に対応して、６ビットにディジタル化された画像信号からなっており、図１２に示されたようなデータ配列を有している。
画像処理回路１７は、入力されたＲ，Ｇ，Ｂの各色の入力階調データを、それぞれＲ用ＬＵＴ，Ｇ用ＬＵＴ，Ｂ用ＬＵＴに入力することによって、Ｒ，Ｇ，Ｂのそれぞれの階調データを読み替えて、ガンマ補正の処理後の階調データを表示制御回路１３に出力する。
【００１６】
表示制御回路１３は、ガンマ補正後の階調データを、第１の従来例の場合と同様に、各走査線位置に対応して、走査周期ごとに、信号線駆動回路１６へ出力するとともに、走査線駆動回路１５へ走査側制御信号を出力し、信号線駆動回路１６へ信号側制御信号を出力する。基準階調電圧発生回路１４は、第１の従来例の場合と同様に、液晶パネルにおけるＶ−Ｔ特性が所定のガンマ値になるような基準階調電圧を出力する。このとき、第１の従来例の場合に説明したように、Ｒ，Ｇ，Ｂ各色とも、基準階調電圧は同一値である。
信号線駆動回路１６は、基準階調電圧発生回路１４からの基準階調電圧を用い、信号線駆動回路１６の中にあるＤＡＣによって、入力されたガンマ補正後の階調データに対応する出力電圧を発生して、各信号線に対して出力する。
【００１７】
以上説明したように、図１４に示された従来例の液晶表示装置では、その入力側で、原画像信号の階調データにデータ処理を施すことによって、各色ごとにガンマ補正を行っている。しかしながら入力階調データに対してデータ処理によってガンマ補正を行った場合には、補正後の階調データにおいて、階調数が減少することになる。
これは、入力階調データは、例えば６４階調の場合、６４個の階調値と、これを表現する６ビットのディジタルデータとは１：１に対応しているが、データ処理によって、６ビットのディジタルデータにおける、入力データと出力データとの対応関係を変えると、読み飛ばされるディジタル値が出力データ中に生じる結果、読み飛ばされたディジタル値に対応する階調データは、出力されないことになるためである。
このように、データ処理によるガンマ補正では、入力データと出力データとが直線的に対応する階調データだけを抜き出して利用するため、入力側の階調データが持っている階調値のすべてを利用することができず、階調数の減少によって画質の低下を招くことになる。
【００１８】
図１５は、階調データの変換に伴う階調数の減少を示したものであって、６４階調からなる階調データに対するデータ変換を、
【００１９】
【数１】
0004986334.tif 000002
【００２０】
によって行った場合の、各γｄ値における表示可能な階調数を示したものであって、γｄ＝１の場合は、入力階調データと出力階調データとが一致するので、階調数の変化は生じないが、γｄ＜１又はγｄ＞１となるように階調データの読み替えを行った場合には、階調数が減少することが示されている。
【００２１】
【発明が解決しようとする課題】
従来の液晶表示装置では、基準階調電圧発生回路の発生する基準階調電圧は、Ｒ，Ｇ，Ｂの各色に対して同一である。そして、液晶パネルにおける、Ｒ，Ｇ，Ｂの各色に対するガンマ特性の相違に対応する補正は、入力階調データに対するデータ処理によって行われていた。
しかしながら、階調データに対してデータ処理によってガンマ特性の補正を行う方法では、前述のように、入力階調データと出力階調データとが直線的に対応する部分だけを抜き出して利用するため、画像信号が持っている階調データのすべてを利用することができず、補正後の階調数が減少するため、画質の低下が生じることを避けられないという問題があった。
【００２２】
この発明は、上述の事情に鑑みてなされたものであって、階調数の減少を伴わずに、Ｒ，Ｇ，Ｂの各色ごとに適正なガンマ補正を行うことが可能な、液晶表示装置及びその駆動方法を提供することを目的としている。
【００２３】
【課題を解決するための手段】
上記課題を解決するため、請求項１記載の発明は液晶表示装置に係り、赤、緑、青の各色の画素電極からなる画素がマトリスク状に配列されてなる液晶パネルと、補正可能なガンマ値の範囲内に、予め任意の複数のガンマ値に対応する階調データ変換ポイント値を設定しておき、入力画質データのガンマ値と複数の上記階調データ変換ポイントの上記ガンマ値との比較に基づいて、所望の階調データ変換ポイント値を出力すると共に、上記入力階調データに対して、上記階調データ変換ポイントのガンマ値と上記入力画質データのガンマ値とに基づくデータ処理を行って、処理後の階調データを出力する画像処理手段と、入力される上記階調データ変換ポイント値に基づいて、上記液晶パネルの赤、緑、青の各色のＶ−Ｔ特性に対応するそれぞれの基準階調電圧を発生する基準階調電圧発生手段と、上記処理後の階調データと上記基準階調電圧とに基づいて、信号電圧を発生して、走査周期ごとに上記各色の画素電極に対応する各列の信号線に供給する信号線駆動手段とを備えてなることを特徴としている。
【００２４】
また、請求項２記載の発明は、請求項１記載の液晶表示装置に係り、上記画像処理手段は、上記入力画質データと複数の上記階調データ変換ポイントの上記ガンマ値とを比較して、上記入力画質データがいずれかの上記階調データ変換ポイントの上記ガンマ値と一致したときは、上記処理後の階調データとして入力階調データと同じ階調データを出力するとともに、一致した上記階調データ変換ポイント値を出力する一方、上記入力画質データが複数の上記階調データ変換ポイントのガンマ値のいずれとも一致しないときは、上記入力画質データに最も近いガンマ値の階調データ変換ポイントを選択して、上記入力階調データに対して、選択した上記階調データ変換ポイントのガンマ値と上記入力画質データのガンマ値とに基づくデータ処理を施して得られた、上記処理後の階調データを出力するとともに、選択した上記階調データ変換ポイント値を出力することを特徴としている。
【００２５】
また、請求項３記載の発明は、赤、緑、青の各色の画素電極からなる画素がマトリスク状に配列されてなる液晶パネルを備える液晶表示装置の駆動方法に係り、補正可能なガンマ値の範囲内に、予め任意の複数のガンマ値に対応する階調データ変換ポイント値を設定しておき、入力画質データのガンマ値と複数の上記階調データ変換ポイントの上記ガンマ値との比較に基づいて、所望の階調データ変換ポイント値を出力すると共に、上記入力階調データに対して、上記階調データ変換ポイントのガンマ値と上記入力画質データのガンマ値とに基づくデータ処理を行って、処理後の階調データを出力する画像処理と、入力される上記階調データ変換ポイント値に基づいて、上記液晶パネルの赤、緑、青の各色のＶ−Ｔ特性に対応するそれぞれの基準階調電圧を発生する基準階調電圧発生処理と、上記処理後の階調データと上記基準階調電圧とに基づいて、信号電圧を発生して、走査周期ごとに上記各色の画素電極に対応する各列の信号線に供給する信号線駆動処理とを有してなることを特徴としている。
【００２６】
また、請求項４記載の発明は、請求項３記載の液晶表示装置の駆動方法に係り、上記画像処理では、上記入力画質データと複数の上記階調データ変換ポイントの上記ガンマ値とを比較して、上記入力画質データがいずれかの上記階調データ変換ポイントの上記ガンマ値と一致したときは、上記処理後の階調データとして入力階調データと同じ階調データを出力するとともに、一致した上記階調データ変換ポイント値を出力する一方、上記入力画質データが複数の上記階調データ変換ポイントのガンマ値のいずれとも一致しないときは、上記入力画質データに最も近いガンマ値の階調データ変換ポイントを選択して、上記入力階調データに対して、選択した上記階調データ変換ポイントのガンマ値と上記入力画質データのガンマ値とに基づくデータ処理を施して得られた、上記処理後の階調データを出力するとともに、選択した上記階調データ変換ポイント値を出力することを特徴としている。
【００３２】
この発明の構成によれば、ガンマ補正可能範囲を複数の変換領域に分割して、それぞれの領域内に設定されている階調データ変換ポイントに基づいて、データ処理を行って階調データ処理を行うので、比較的簡単な構成で、広いガンマ補正範囲に対応できるとともに、その際における階調数の減少を抑制でき、画質の低下を防止することができる。
【００３５】
【発明の実施の形態】
以下、図面を参照して、この発明の実施の形態について説明する。説明は、実施例を用いて具体的に行う。
◇第１実施例
図１は、この発明の第１実施例である液晶表示装置の構成を示す図、図２は、本実施例における階調データの並べ替えを示す図、図３は、本実施例における基準階調電圧発生回路と信号線駆動回路との具体的構成例を示す図、図４は、本実施例における各色の基準階調電圧を示す図、図５は、本実施例の場合の各色のガンマ特性を示す図である。
【００３６】
この例の液晶表示装置１は図１に示すように、液晶パネル２と、表示制御回路３と、ＲＧＢ切替基準階調電圧発生回路４と、走査線駆動回路５と、信号線駆動回路６とから概略構成されている。
液晶パネル２は、表示面に水平方向に複数行の走査線２１を形成する配線を設けるとともに、垂直方向に複数列の信号線２２を形成する配線を設け、さらに各行の走査線と各列の信号線との交点ごとに、画素電極２３を配置し、それぞれの画素電極と対応する信号線との間にＴＦＴ２４を設け、各ＴＦＴのゲートを対応する走査線に接続した構成を有している点は従来例の場合と同様であるが、各画素電極は、図示のように、Ｒ，Ｇ，Ｂの各色の画素電極が垂直方向に順次、配列されて同一の信号線に接続されることによって、カラーの１画素を構成し、このような画素が垂直方向に所定数、配列されているとともに、水平方向には、各走査線ごとに同色の画素電極が所定数、接続されて、１画面を構成するようになっている。従って、１画面の画素構成が同じ場合、液晶パネル２の信号線数は従来例の場合の１／３であり、走査線数は従来例の場合の３倍となる。
【００３７】
表示制御回路３は、画像描画装置１００からの、Ｒ，Ｇ，Ｂの階調データの繰り返しからなる階調データ入力を、同期データに従って、走査線ごとに、液晶パネル２の画素配列に対応して並べ替えた階調データを、信号線駆動回路６に出力するとともに、同期データに応じて、走査線駆動回路５に対して走査側制御信号を出力し、信号線駆動回路６に対して信号側制御信号を出力する。
ＲＧＢ切替基準階調電圧発生回路４は、信号線駆動回路６において、階調データに対応する電圧の信号を各信号線に対して出力する際に必要となる、液晶パネルのＲ，Ｇ，Ｂの各色のＶ−Ｔ特性に合わせた３種類の基準階調電圧（Ｒ用基準階調電圧，Ｇ用基準階調電圧，Ｂ用基準階調電圧）を発生する。
走査線駆動回路５は、走査側制御信号に応じて１フィールド期間ごとに、各走査線に対して走査信号を出力する。
信号線駆動回路６は、信号側制御信号に応じて１走査期間ごとに、表示制御回路３からの並べ替えられた階調データと、ＲＧＢ切替基準階調電圧発生回路４からの３種類の基準階調電圧とに応じて、液晶パネル２の各色のＶ−Ｔ特性に応じてガンマ補正を行われた信号を生成して、各信号線ごとに出力する。
【００３８】
表示制御回路３における階調データの並べ替えは、図２に示すようにして行われる。図２においては、ビデオ・グラフィック・アレイ（ＶＧＡ）（６４０×ＲＧＢ×４８０画素）の場合を例示している。
画像描画装置１００から入力された階調データ入力は、図１２に示されたように、Ｒ，Ｇ，Ｂの順に配列された階調データが、各走査線位置ごとに画素１から画素６４０まで繰り返し配列された信号からなり、このような信号が、各走査線位置１〜４８０に対応して入力される。
表示制御回路３では、このような階調データ入力が、図２に示すように並べ替えられて、Ｒの信号が画素１〜画素６４０まで配列された信号と、Ｇの信号が画素１〜画素６４０まで配列された信号と、Ｂの信号が画素１〜画素６４０まで配列された信号とが、各走査線位置ごとに繰り返して順次、走査線位置１〜１４４０に対応して出力される。そして、この際、Ｒの信号の走査線位置と、Ｇの信号の走査線位置と、Ｂの信号の走査線位置とに対応して、それぞれ、Ｒ用基準階調電圧，Ｇ用基準階調電圧，Ｂ用基準階調電圧が、ＲＧＢ切替基準階調電圧発生回路４から信号線駆動回路６に与えらるようになっている。
【００３９】
また、基準階調電圧発生回路４と信号線駆動回路６とは、図３に示すような構成を有している。
ＲＧＢ切替基準階調電圧発生回路４では、基準電圧ＶREF を赤（Ｒ）用分圧回路ＤＲ，緑（Ｇ）用分圧回路ＤＧ，青（Ｂ）用分圧回路ＤＢでそれぞれ分割して得た電圧Ｖ０Ｒ，Ｖ０Ｇ，Ｖ０Ｂ，…，Ｖ９Ｒ，Ｖ９Ｇ，Ｖ９Ｂを、マルチプレクサ（ＭＰＸ）Ｍ１，Ｍ２，…，Ｍ９，Ｍ１０によって、選択制御信号ＳＬに応じてＲ，Ｇ，Ｂの各色ごとに選択して得た電圧を、ボルテージ・フォロアＢ１，Ｂ２，…，Ｂ９，Ｂ１０を介して、基準階調電圧Ｖ０，Ｖ１，…，Ｖ８，Ｖ９として出力する。ここで、各分圧回路の出力電圧における添字Ｒ，Ｇ，Ｂは、それぞれＲ，Ｇ，Ｂの色に対する電圧であることを示し、マルチプレクサＭ１，Ｍ２，…，Ｍ９，Ｍ１０は、Ｒ，Ｇ，Ｂのそれぞれの色の走査線の選択に同期して出力される選択制御信号ＳＬに応じて、対応する色の電圧を選択して、上記基準階調電圧として信号線駆動回路６へ出力する。なお、図３では、信号線駆動回路６へ入力される基準階層電圧を１０ポイントとしているが、正確なガンマ補正を行うためには、基準階調電圧の数は多い方がよい。
【００４０】
信号線駆動回路６では、マルチプレクサ（ＭＰＸ）６１において、液晶パネル２を交流駆動するための極性反転パルスＰＯＬに基づいて、基準階調電圧Ｖ０〜Ｖ９を、Ｖ０〜Ｖ４の組とＶ５〜Ｖ９の組に分けてＤＡＣ６２に出力する。また、表示制御回路３から供給される、例えば６ビットの階調データＤ1 ，Ｄ2 ，Ｄ3 は、水平スタートパルスＨＳＰ及びクロック信号ＨＣＫによって制御される、シフトレジスタ部６３の各段の出力によって制御されるデータレジスタ部６４に並列に保持される。
データレジスタ部６４に並列に保持された信号は、ラッチ信号ＳＴＢによってラッチ部６５に階調データが一括して転送されてラッチされる。ラッチ部６５にラッチされた階調データは、レベルシフト部６６を介してレベルシフトしてＤＡＣ６２へ転送される。ＤＡＣ６２へ転送された階調データは、ＭＰＸ６１から供給される、基準階調電圧Ｖ０〜Ｖ４の組とＶ５〜Ｖ９の組とに基づいてガンマ補正されるとともに、ＤＡ変換された信号電圧を発生して、ボルテージ・フォロアＦ１，Ｆ２，…，Ｆ６３９，Ｆ６４０を経て、対応する各信号線に出力される。
ここで、表示制御回路３から供給される、階調データＤ1 ，Ｄ2 ，Ｄ3 は、図２に示されるように走査線位置ごとに、Ｒ階調データ，Ｇ階調データ，Ｂ階調データが順次、繰り返して切り替えられるものである。なお、この例では、信号線駆動回路６への階調データ転送を、Ｄ1 ，Ｄ2 ，Ｄ3 のように３ポートとしているが、ポート数は特に限定されるものではない。
【００４１】
以下、図１乃至図５を参照して、第１の実施例の液晶表示装置の動作を説明する。
パソコン等からなる画像描画装置１００は、図１０の場合について説明したのと同様に、例えば６４階調からなる階調データと同期データを出力する。
液晶表示装置１において、表示制御回路３は、画像描画装置１００からのＲ，Ｇ，Ｂの繰り返しの信号からなる階調データ入力と同期データとに応じて、図２に示されたように、階調データを走査線位置ごとに、液晶パネル２の画素配列に対応して並べ替えを行って、信号線駆動回路６に出力するとともに、同期データに応じて、走査線駆動回路５に対して走査側制御信号を出力し、信号線駆動回路６に対して信号側制御信号を出力する。
【００４２】
これによって、走査線駆動回路５では、走査側制御信号に応じて１フィールドごとに画面を形成するための走査信号を、各走査線に対して順次出力するので、各走査線に接続されたＴＦＴ２４がオンになって、その走査線に接続された各画素電極に、それぞれの信号線から信号電圧が供給される。
また、信号線駆動回路６では、ＲＧＢ切替基準階調電圧発生回路４からの、Ｒ，Ｇ，Ｂのそれぞれの基準階調電圧を用い、走査周期ごとに、液晶パネル２における各色のＶ−Ｔ特性が所定のガンマ値になるようにガンマ補正を行った信号を発生して、各信号線に対して出力する。
【００４３】
液晶表示装置１においては、液晶パネル２の各走査線に接続される画素がそれぞれ同色になるような画素配列になっているので、液晶パネル２の信号線本数は従来の場合の１／３であり、走査線本数は従来の場合の３倍になっているので、表示制御回路３では、このような信号線と走査線の配置に対応して、図２に示されたように階調データの並べ替えを行うとともに、このような並べ替えられた階調データに対応して、走査線駆動回路５では、走査線を従来の３倍の速度で切り替えることによって、垂直方向のカラーの１画素をＲ，Ｇ，Ｂの各色に分けて走査する。信号線駆動回路６では、信号線数が従来の１／３になるため、１走査期間内に表示制御回路３から転送されてくる階調データは１／３となり、また、Ｒ，Ｇ，Ｂの各色ごとに入力される。また、信号線駆動回路６の中に設けられているシフトレジスタ部，データレジスタ部，ラッチ部，レベルシフト部，ボルテージ・フォロァ等の規模が、従来の回路の１／３となる。
【００４４】
この際、図４に示すように、液晶パネル２のＲ，Ｇ，Ｂ各色のＶ−Ｔ特性に合わせたＲ用基準階調電圧と、Ｇ用基準階調電圧と、Ｂ用基準階調電圧とを、ＲＧＢ切替基準階調電圧発生回路４で生成して信号線駆動回路６に供給し、信号線駆動回路６で、各色の階調データに応じて液晶パネル２に供給する信号線電圧の生成を行う際の基準階調電圧を、Ｒ，Ｇ，Ｂの各色ごとに切り替えるようにしたので、信号線駆動回路６において入力階調データに対してガンマ補正を行って信号線電圧を生成する際に、従来のように入力階調データに対するデータ処理を行う必要がないため、階調数の減少が生じることがなく、図５に示すように、Ｒ，Ｇ，Ｂの各色のガンマ特性が一致し、従って、ガンマ補正に伴う画質の低下を生じることがない。
【００４５】
このように、この例の液晶表示装置によれば、液晶パネルのＶ−Ｔ特性に合致した、Ｒ，Ｇ，Ｂの各色ごとの基準階調電圧を用いて、入力階調データに対するガンマ補正を行って、液晶パネルに与える信号線電圧を生成するようにしたので、ガンマ補正時に階調数が減少することがなく、従ってガンマ補正に伴う画質の低下を防止することができる。
【００４６】
◇第２実施例
図６は、この発明の第２実施例である液晶表示装置の構成を示す図、図７は、本実施例における基準階調電圧発生回路と信号線駆動回路との具体的構成例を示す図である。
この例の液晶表示装置１Ａは図６に示すように、液晶パネル２と、表示制御回路３Ａと、ＤＡＣ内蔵基準階調電圧発生回路４Ａと、走査線駆動回路５と、信号線駆動回路６とから概略構成されている。これらのうち、液晶パネル２，走査線駆動回路５，信号線駆動回路６は、図１に示された第１実施例の場合と同様なので、以下においては、これらについての詳細な説明を省略する。
【００４７】
この例においては、画像描画装置１００Ａは、第１実施例の画像描画装置１００の場合における、Ｒ，Ｇ，Ｂの階調データと同期データのほかに、Ｒ，Ｇ，Ｂの各画像信号の画質データを出力する。なお、この例においては、画質データとして、画像描画装置１００Ａから出力される画像のガンマ特性を、ディジタル値として出力する場合を例として説明する。
図１０に示されたような従来技術の構成では、画像描画装置から液晶表示装置に転送されるのは、階調データと同期データのみであって、画像の画質データは転送されず、ガンマ補正処理の内容は、基準階調電圧発生回路と信号線駆動回路によって、予め定められている。そのため、同じ入力画像信号であっても、液晶表示装置ごとに液晶パネルのＶ−Ｔ特性が異なる場合、画像の見え方が違うという問題が生じる。この例の液晶表示装置では、画質データに応じてＲ，Ｇ，Ｂ各色の基準階調電圧を積極的に変更することによって、このような問題の発生を抑制している。
【００４８】
図６において、表示制御回路３Ａは、画像描画装置１００ＡからのＲ，Ｇ，Ｂの信号からなる各階調データを、同期データに従って、走査線ごとに、液晶パネル２の画素配列に対応して並べ替えた階調データを、信号線駆動回路６に出力し、同期データに応じて、走査線駆動回路５に対して走査側制御信号を出力し、信号線駆動回路６に対して信号側制御信号を出力するとともに、画像描画装置１００Ａから送られた画質データを、ＤＡＣ内蔵基準階調電圧発生回路４Ａに転送する。
ＤＡＣ内蔵基準階調電圧発生回路４Ａは、画質データのディジタル値をアナログ値に変換して、信号線駆動回路６において階調データに対応する電圧の信号を各信号線に対して出力する際に必要となる、液晶パネル２のＲ，Ｇ，Ｂの各色のＶ−Ｔ特性に合わせた３種類の基準階調電圧（Ｒ用基準階調電圧，Ｇ用基準階調電圧，Ｂ用基準階調電圧）を生成して出力する。
【００４９】
さらに、ＤＡＣ内蔵基準階調電圧発生回路４Ａは、図７に示すように、Ｒ，Ｇ，Ｂの各色に対応するディジタルアナログ変換部（ＤＡＣ）４１，４２，４３と、マルチプレクサ（ＭＰＸ）Ｍ１，Ｍ２，…，Ｍ１０と、ボルテージ・フォロアＢ１，Ｂ２，…，Ｂ１０とを備えている。
ＤＡＣ４１，４２，４３は、それぞれ画像描画装置１００ＡからのＲ，Ｇ，Ｂの階調データ入力に対応する画質データである、Ｒ画質データ，Ｇ画質データ，Ｂ画質データをディジタルアナログ変換して、画質データに応じてガンマ補正されたＲ，Ｇ，Ｂ各色の基準階調電圧Ｖ０Ｒ，Ｖ１Ｒ，…，Ｖ９Ｒ，Ｖ０Ｇ，Ｖ１Ｇ，…，Ｖ９Ｇ，ＶＯＢ，Ｖ１Ｂ，…，Ｖ９Ｂを出力する。マルチプレクサＭ１，Ｍ２，…，Ｍ１０は、選択制御信号ＳＬに応じて、各ＤＡＣからの基準階調電圧を、Ｒ，Ｇ，Ｂの各色ごとに選択して出力し、各マルチプレクサの出力電圧は、ボルテージ・フォロアＢ１，Ｂ２，…，Ｂ９，Ｂ１０を介して、基準階調電圧Ｖ０，Ｖ１，…，Ｖ８，Ｖ９として出力される。
なお図７では、信号線駆動回路６へ入力される基準階層電圧を１０ポイントとしているが、正確なガンマ補正を行うためには、基準階調電圧の数は多い方がよい。
【００５０】
図６に示された液晶表示装置１Ａでは、信号線駆動回路６から各信号線を駆動する際に、液晶パネル２のＲ，Ｇ，Ｂ各色のＶ−Ｔ特性と、入力画像信号の画質とに合わて生成したＲ用基準階調電圧と、Ｇ用基準階調電圧と、Ｂ用基準階調電圧とを、ＤＡＣ内蔵基準階調電圧発生回路４Ａで生成して信号線駆動回路６に供給し、信号線駆動回路６では、走査線位置ごとに切り替えられる各色の階調データと、ＤＡＣ内蔵基準階調電圧発生回路４Ａからの、Ｒ，Ｇ，Ｂの各色ごとの基準階調電圧を用いに応じて液晶パネル２に供給する信号線電圧の生成を行う。
従って、信号線駆動回路６において入力階調データに応じてガンマ補正を行って信号線電圧を生成する際に、従来のように入力階調データに対するデータ処理を行う必要がないため、階調数の減少が生じることなしに、Ｒ，Ｇ，Ｂの各色のガンマ特性を積極的に補正することができる。
【００５１】
このように、この例の液晶表示装置によれば、液晶パネルのＶ−Ｔ特性に合致した、Ｒ，Ｇ，Ｂの各色ごとの基準階調電圧を用いて、入力階調データに対するガンマ補正を行って、液晶パネルに与える信号線電圧を生成する際に、入力画像の画質に応じたガンマ補正を行うようにしたので、ガンマ補正時に階調数が減少することがなく、従ってガンマ補正に伴う画質の低下を防止することができるとともに、入力画像の画質の補正を行うことが可能になる。
【００５２】
◇第３実施例
図８は、この発明の第３実施例である液晶表示装置の構成を示す図、図９は、この例の液晶表示装置におけるガンマ補正に基づく階調数の減少を説明する図である。
この例の液晶表示装置１Ｂは図８に示すように、液晶パネル２と、表示制御回路３Ａと、ＤＡＣ内蔵基準階調電圧発生回路４Ａと、走査線駆動回路５と、信号線駆動回路６と、画像処理回路７とから概略構成されている。これらのうち、液晶パネル２，表示制御回路３Ａ，走査線駆動回路５，信号線駆動回路６は、図６及び図７に示された第２実施例の場合と同様なので、これらについての詳細な説明を省略する。
【００５３】
例えば、Ｗｉｎｄｏｗｓの画面のプロパティでのガンマ補正範囲（０．２０〜３．００）のようにガンマ補正範囲が広い場合、この範囲に対して、第２実施例に示されたような基準階調電圧の設定方法によって補正を行うためには、予め各ガンマ値での基準階調電圧を設定しなければならないので、膨大な回路構成と調整作業とが必要になる。この例においては、このような問題を回避するために、第２実施例の構成に加えて、表示制御回路３の前段に、画像処理回路７を設けている。
画像処理回路７は、図示されないＲ信号用ルックアップテーブル（ＬＵＴ）と、Ｇ信号用ルックアップテーブル（ＬＵＴ）と、Ｂ信号用ルックアップテーブル（ＬＵＴ）とを備えたチップからなり、画像描画装置１００Ａからの、Ｒ，Ｇ，Ｂの階調データ入力に対して、それぞれデータ処理によって、ガンマ補正の処理を行って、処理後の階調データを出力するとともに、画質データから階調データ変換ポイント値を出力する。
【００５４】
図８に示された液晶表示装置１Ｂでは、画像描画装置１００ＡからのＲ，Ｇ，Ｂの階調データに対して、画像処理回路７において、画像描画装置１００Ａからの画質データに応じてデータ処理を行ってから表示制御回路３Ａに転送する。
この際、画像処理回路７では、補正可能なガンマ値の範囲内に、予め任意の複数のガンマ値に対応する階調データ変換ポイントを設定しておいて、入力された画質データと予め設定されたガンマ値とを比較して、入力された画質データが予め設定された複数のガンマ値のいずれかと一致した場合と、一致しない場合とに分けてデータ処理が行われる。
【００５５】
入力された画質データが、予め設定された複数のガンマ値のいずれかと一致した場合、入力階調データと同じ階調データを表示制御回路３Ａに出力するとともに、一致したガンマ値に対応する階調データ変換ポイント値を出力する。
ＤＡＣ内蔵基準階調電圧発生回路４Ａにおいては、それぞれの階調データ変換ポイントのガンマ値に対応して基準階調電圧を発生できるように予め設定されている。表示制御回路３Ａから転送されてくる階調データ変換ポイント値に従って、Ｒ，Ｇ，Ｂの基準階調電圧がそれぞれ変更される。走査線の選択に同期して出力される選択制御信号ＳＬに応じて、階調データ変換ポイント値に従って変更されたＲ用基準階調電圧，Ｇ用基準階調電圧，Ｂ用基準階調電圧を切り替えて、信号線駆動回路６へ出力する。
入力された画質データが予め設定された複数のガンマ値のいずれかと一致した場合は、第２実施例の場合と同様に、階調数の減少なしにガンマ補正の処理を行うことができるようになる。
【００５６】
一方、入力された画質データが、予め設定された複数のガンマ値のいずれとも一致しない場合は、予め設定された複数のガンマ値に対応する階調データ変換ポイントの中から、入力された画質データのガンマ値に最も近いガンマ値の階調データ変換ポイントを選択して、画像描画装置１００ＡからのＲ，Ｇ，Ｂの階調データに対して、選択した階調データ変換ポイントに応じたデータ処理を施した階調データを表示制御回路３Ａに出力するとともに、選択した階調データ変換ポイント値を出力する。
この場合における、各階調データ変換ポイントでの階調データ処理は、例えば６４階調からなる階調データの場合、
【００５７】
【数２】
0004986334.tif 000003
【００５８】
によって行うことができる。
ＤＡＣ内蔵基準階調電圧発生回路４Ａでは、入力された画質データが予め設定された複数のガンマ値のいずれかと一致した場合と同様に、表示制御回路３Ａから転送されてくる階調データ変換ポイント値に従って、Ｒ，Ｇ，Ｂの基準階調電圧をそれぞれ変更し、選択制御信号ＳＬに応じて、階調データ変換ポイント値に従って変更されたＲ用基準階調電圧，Ｇ用基準階調電圧，Ｂ用基準階調電圧を切り替えて、信号線駆動回路６へ出力する。
【００５９】
図９は、この例の場合の階調データ変換による階調数の減少を示したものであって、例えば、画像描画装置１００Ａからの画質データのガンマ値がγｄ＝２．４であったとして、階調データ変換ポイント（４）（γｄ＝２．６）の基準階調電圧を使用している場合の階調数は６３程度であって、図１５に示された従来例におけるデータ処理だけの場合と比較して、階調数の減少は極めて少ない。
【００６０】
このように、この例の液晶表示装置では、ガンマ補正可能範囲を複数の変換領域に分割して、それぞれの領域内に設定されている階調データ変換ポイントから離れている程度に応じて、データ処理を行って階調データ処理を行うようにしている。この例によれば、比較的簡単な構成で、広いガンマ補正範囲に対応できるとともに、その際における階調数の減少を少なくすることができる。
【００６１】
以上、この発明の実施例を図面により詳述してきたが、具体的な構成はこの実施例に限られたものではなく、この発明の要旨を逸脱しない範囲の設計の変更等があってもこの発明に含まれる。例えば、第２実施例において、画質データとしてガンマ値以外に、バックライトの輝度の情報を伝送することによって、液晶表示装置側でバックライトの輝度の制御を行うようにしてもよく、又はコントラストの情報を伝送することによって、液晶表示装置側で、表示画像のコントラストの制御を行うようにしてもよい。
【００６２】
【発明の効果】
以上、説明したように、この発明の液晶表示装置によれば、Ｒ，Ｇ，Ｂの各色の画素配列を、走査線方向に同色の画素が配置されるようにするとともに、Ｒ，Ｇ，Ｂの各色ごとに異なる基準階調電圧を用いることによって、液晶パネルのＲ，Ｇ，Ｂの各色ごとに異なるＶ−Ｔ特性に合わせた信号線電圧を与えることができるようにしたので、ガンマ補正処理に伴う出力画像の階調数の減少を抑制することができ、画質の低下を防止することができる。
【００６３】
また、この発明の液晶表示装置では、上記の効果に加えて、入力画像の画質データ（特にＲ，Ｇ，Ｂのガンマ特性）を受信して、液晶表示装置において入力画像のガンマ補正を行うようにしたので、入力画像と液晶表示装置とのガンマ特性の関係の変化を補償することができ、従って、出力画像における階調数の減少を伴わずに、画質の低下を防止することができる。
【００６４】
さらに、この発明の液晶表示装置では、上記の効果に加えて、広いガンマ値補正範囲内の比較的少数の階調電圧変換ポイントについて基準階調電圧によるガンマ補正を行うとともに、階調電圧変換ポイント間の領域については、最も近いポイントのガンマ値からの階調データ処理によって得たガンマ値を用いてガンマ補正を行うようにしたので、簡単な構成で、階調数の減少を抑制してガンマ補正を行うことができる。
【図面の簡単な説明】
【図１】本発明の第１実施例である液晶表示装置の構成を示す図である。
【図２】本実施例における階調データの並べ替えを示す図である。
【図３】本実施例における基準階調電圧発生回路と信号線駆動回路との具体的構成例を示す図である。
【図４】本実施例における各色の基準階調電圧を示す図である。
【図５】本実施例の場合の各色のガンマ特性を示す図である。
【図６】本発明の第２実施例である液晶表示装置の構成を示す図である。
【図７】本実施例における基準階調電圧発生回路と信号線駆動回路との具体的構成例を示す図である。
【図８】本発明の第３実施例である液晶表示装置の構成を示す図である。
【図９】本実施例の液晶表示装置におけるガンマ補正に基づく階調数の減少を説明する図である。
【図１０】従来の液晶表示装置の第１の構成例を示す図である。
【図１１】本従来例における基準階調電圧発生回路と信号線駆動回路の構成例を示す図である。
【図１２】液晶表示装置に対する階調データ入力を示す図である。
【図１３】液晶パネルのガンマ特性の例を示す図である。
【図１４】従来の液晶表示装置の第２の構成例を示す図である。
【図１５】本従来例の液晶表示装置におけるガンマ補正に基づく階調数の減少を説明する図である。
【符号の説明】
１，１Ａ，１Ｂ      液晶表示装置
２      液晶パネル
３，３Ａ      表示制御回路
４      ＲＧＢ切替基準階調電圧発生回路（基準階調電圧発生手段）
４Ａ      ＤＡＣ内蔵基準階調電圧発生回路（基準階調電圧発生手段）
５      走査線駆動回路（走査線駆動手段）
６      信号線駆動回路（信号線駆動手段）
７      画像処理回路（画像処理手段）
【図１】
0004986334.tif 000004
【図２】
0004986334.tif 000005
【図３】
0004986334.tif 000006
【図４】
0004986334.tif 000007
【図５】
0004986334.tif 000008
【図６】
0004986334.tif 000009
【図７】
0004986334.tif 000010
【図８】
0004986334.tif 000011
【図９】
0004986334.tif 000012
【図１０】
0004986334.tif 000013
【図１１】
0004986334.tif 000014
【図１２】
0004986334.tif 000015
【図１３】
0004986334.tif 000016
【図１４】
0004986334.tif 000017
【図１５】
0004986334.tif 000018